(57)【要約】【課題】モータを制御することで袋口を美しい扇状に折り畳んで結束することができ、必要とするモータの数が少なくて済む電動袋口結束装置を提供すること。【解決手段】袋口を挟む蛇腹折りクリージングフィルム６ａ，６ｂと、第４モータ１０で上下動させ、上昇時に結束タイをＵ字状にするタイ成形装置３と、第３モータ９で回転させてタイ成形装置３へ結束タイを送り込むタイ送り出しロール２と、第５モータ１１で回転させるタイ捩じりフック５を備え、第１モータ７で上下動させる左右の上部スライド枠２３に上側の蛇腹折りクリージングフィルム６ｂの両端部を取り付け、上部スライド枠２３と係合する左右の下部スライド枠１２に下側の蛇腹折りクリージングフィルム６ａの両端部を取り付け、第２モータ８で駆動されて逆方向へ平行移動する第１ラック１３及び第２ラック１４を左右の下部スライド枠１２に固定する。【選択図】図４
0003185474.tif 000002
【実用新案登録請求の範囲】
【請求項１】
袋口を蛇腹状に折りたたみながら結束タイで結束する電動袋口結束装置であって、袋口を挟み、袋口の幅方向に伸縮可能な上下一対の蛇腹折りクリージングフィルムと、袋口の下方に昇降可能に設置され、支持する結束タイを上昇に伴ってＵ字状に成形するタイ成形装置と、下限位置にある前記タイ成形装置に結束タイを送り込むタイ送り出しロールと、前記タイ成形装置及び袋口の上方に設けられ、前記タイ成形装置から受け取ったＵ字状の結束タイの両端部と係合して回転することにより結束タイを捩じるタイ捩じりフックと、前記上下の蛇腹折りクリージングフィルムを接離させる第１モータと、上下の蛇腹折りクリージングフィルムを伸縮させる第２モータと、前記タイ送り出しロールをタイ送り込み方向に回転させる第３モータと、前記タイ成形装置を上下動させる第４モータと、前記タイ捩じりフックを回転させる第５モータとを備え、前記上側の蛇腹折りクリージングフィルムの両端部を幅方向に摺動可能な左右の上部スライド枠に取り付けると共に、該左右の上部スライド枠を前記第１モータの回転に伴って上下に揺動する揺動枠に設置し、前記下側の蛇腹折りクリージングフィルムの両端部を幅方向に摺動可能な左右の下部スライド枠に取り付け、前記上部スライド枠を前記下部スライド枠に連動して摺動するよう係合し、前記第２モータの出力軸にピニオンを連結すると共に、前記ピニオンに、該ピニオンの回転に伴って互いに逆方向へ平行移動する第１ラック及び第２ラックを噛合し、前記第１ラック及び第２ラックをそれぞれ左右の下部スライド枠に固定してあることを特徴とする電動袋口結束装置。
【請求項２】
装置前面に、前記上下の蛇腹折りクリージングフィルム間に袋口を差し込むための差し込み口を形成すると共に、該差し込み口の下方の左右両側に、前記第１モータを駆動操作するための始動スイッチをそれぞれ上下・左右方向に位置調整可能に設けてあることを特徴とする請求項１に記載の電動袋口結束装置。
【請求項３】
前記揺動枠に前記タイ捩じりフック及び第５モータを装着したことを特徴とする請求項１に記載の電動袋口結束装置。
【請求項４】
前記第４モータを駆動操作するためのタイ上昇ボタンと、前記タイ成形装置のタイ詰りを知らせる警報発生部とを隣接して設けたことを特徴とする請求項１に記載の電動袋口結束装置。
【考案の詳細な説明】
【技術分野】
【０００１】
本考案は、菓子等を包装する袋の袋口を扇状に折りたたみながら結束タイで結束する電動袋口結束装置に関する。
【背景技術】
【０００２】
従来、包装用袋の袋口に結束タイ或いはワイヤを巻き付けて捩じる自動結束装置が知られている。
例えば、特許文献１には、タイ及び袋口を挟持してタイをＵ字状に形成する袋口挟持駒を設けたツイスト用搬送チェーンと、タイ及び袋口をツイスト用搬送チェーンの被受渡し部において開いた状態の袋口挟持駒間に送りながら袋口を押し縮めるプッシャー付きピニオンザリングチェーンと、タイをピニオンザリングチェーン側受渡し部の前段位置へ送り出す繰出しローラと、ツイスト用搬送チェーンで搬送されるＵ字状のタイを掴んで回転するクランプハンドとを備えたタイ結束装置が記載されている。
しかし、このタイ結束装置は、たんに袋口を押し縮めているだけなので、美しい扇状に折りたたむことができなかった。
【０００３】
また、特許文献２には、それぞれ円弧形状の案内部材と、一端が案内部材に摺動自在に係合され、他端が回転軸部に係合されて袋口に扇形状の折り目を付ける折り機構を有する第１及び第２の枠部材とを有する袋口扇折込装置、及び、扇状に折り畳んだ袋口に向けてタイを送り出すツイストタイ送り機構と、左右のウイング爪でタイをＵ字状に折り曲げるツイストタイセット機構と、ツイストタイの両端を保持して回転することによりタイを袋口に捩じり止めるツイストタイねじり機構とを有するタイ結束部とを備えた結束装置が記載されている。
この結束装置は、袋口を見栄えの良い扇状に折りたたむことができるものの、折り機構を伸縮させる左右別々のモータが必要であった。
【先行技術文献】
【特許文献】
【０００４】
【特許文献１】特開２００７-５５６４１号公報
【特許文献２】特開２０１０-４７２７９号公報
【考案の概要】
【考案が解決しようとする課題】
【０００５】
本考案が解決しようとする課題は、モータを制御することで袋口を美しい扇状に折り畳んで結束することができ、必要とするモータの数が少なくて済む電動袋口結束装置を提供することにある。
【課題を解決するための手段】
【０００６】
本考案は、袋口を蛇腹状に折りたたみながら結束タイで結束する袋口結束装置に関し、袋口を挟み、袋口の幅方向に伸縮可能な上下一対の蛇腹折りクリージングフィルムと、袋口の下方に昇降可能に設置され、支持する結束タイを上昇に伴ってＵ字状に成形するタイ成形装置と、下限位置にある前記タイ成形装置に結束タイを送り込むタイ送り出しロールと、前記タイ成形装置及び袋口の上方に設けられ、前記タイ成形装置から受け取ったＵ字状の結束タイの両端部と係合して回転することにより結束タイを捩じるタイ捩じりフックと、前記上下の蛇腹折りクリージングフィルムを接離させる第１モータと、上下の蛇腹折りクリージングフィルムを伸縮させる第２モータと、前記タイ送り出しロールをタイ送り込み方向に回転させる第３モータと、前記タイ成形装置を上下動させる第４モータと、前記タイ捩じりフックを回転させる第５モータとを備え、前記上側の蛇腹折りクリージングフィルムの両端部を幅方向に摺動可能な左右の上部スライド枠に取り付けると共に、該左右の上部スライド枠を前記第１モータの回転に伴って上下に揺動する揺動枠に設置し、前記下側の蛇腹折りクリージングフィルムの両端部を幅方向に摺動可能な左右の下部スライド枠に取り付け、前記上部スライド枠を前記下部スライド枠に連動して摺動するよう係合し、前記第２モータの出力軸にピニオンを取り付けると共に、前記ピニオンに、該ピニオンの回転に伴って互いに逆方向へ平行移動する第１ラック及び第２ラックを噛合し、前記第１ラック及び第２ラックをそれぞれ左右の下部スライド枠に固定してある。
【０００７】
この場合、前記第１モータを駆動操作するための二つの始動スイッチを直列に接続し、装置前面に、前記上下の蛇腹折りクリージングフィルム間に袋口を差し込むための差し込み口を形成すると共に、該差し込み口の下方の左右両側に、前記始動スイッチをそれぞれ上下・左右方向へ位置調整可能に設けるとよい。
前記揺動枠に前記タイ捩じりフック及び第５モータを装着してもよい。
前記第４モータを駆動操作するためのタイ上昇ボタンと、前記タイ成形装置のタイ詰りを知らせる警報発生部とを隣接して設けることもできる。
【考案の効果】
【０００８】
請求項１に係る考案によれば、袋口を上下の蛇腹折りクリージングフィルムで挟んで蛇腹折りクリージングフィルムを伸縮させることにより、袋口を美しい扇状に折り畳むことができる。
また、上下の蛇腹折りクリージングフィルムを安定して接離及び伸縮させることができ、蛇腹折りクリージングフィルムの伸縮を一つのモータで行なうので、モータ数が少なくて済む。
【０００９】
請求項２に係る考案によれば、二つの始動スイッチを同時に閉成操作した時のみに第１モータが作動し、片側だけに誤って触れた時は作動しないので、安全性が高い。
また、始動スイッチを、袋の寸法に合わせて、袋口の出し入れの邪魔にならない位置へ移動することができるため、作業効率が高まる。
請求項３に係る考案によれば、タイ捩じりフックが上下動するので、上下の蛇腹折りクリージングフィルム間に袋口を差し込む際、及び、結束タイで袋口を結束した袋を取り出す際に、タイ捩じりフックを邪魔にならないよう上昇させることができる。
請求項４に係る考案によれば、タイ成形部に結束タイが詰まったことを作業者が直ちに知ることができ、タイ詰りを知らせる警報発生部に隣接したタイ上昇ボタンを操作することにより、タイ成形部を上昇させて、詰まったタイを簡単に除去できる。
【図面の簡単な説明】
【００１０】
【図１】袋口を結束した袋の斜視図である。
【図２】本考案の実施例を示す電動袋口結束装置の正面図である。
【図３】本考案の実施例を示す電動袋口結束装置の要部斜視図である。
【図４】本考案の実施例を示す袋口結束装置の作動工程第１段階における要部斜視図である。
【図５】本考案の実施例を示す袋口結束装置の作動工程第２段階における要部斜視図である。
【図６】本考案の実施例を示す袋口結束装置の作動工程第３段階における要部斜視図である。
【図７】本考案の実施例に係る蛇腹折りクリージングフィルムの斜視図である。
【図８】本考案の実施例を示す袋口結束装置のタイ成形装置上昇時における要部斜視図である。
【図９】本考案の実施例に係るタイ捩じりフック及び結束タイの平面図である。
【考案を実施するための形態】
【００１１】
以下、本考案の実施例を図面に基づいて詳細に説明する。
本考案の袋口結束装置は、図１に示すように食品等を包装した袋Ａの袋口を扇状に折りたたみながらプラスチック製の結束タイＢで結束する装置であって、図２〜図６に示すように、装置全体を支持する架台１と、架台１の前部に回転自在に設置され、タイ巻き付けリールから結束タイＢを引き出すタイ送り出しロール２と、タイ送り出しロール２の側方において架台１の前部に昇降可能に設置されたタイ成形装置３と、タイ成形装置３の上方に回転及び上下動可能に設置されたタイ捩じりフック５と、袋Ａの袋口を上下から挟んで幅方向に伸縮する一対の蛇腹折りクリージングフィルム６ａ，６ｂと、上下の蛇腹折りクリージングフィルム６ａ，６ｂを接離させる一対の第１モータ７と、上下の蛇腹折りクリージングフィルム６ａ，６ｂを伸縮させる第２モータ８と、タイ送り出しロール２を回転させる第３モータ９と、タイ成形装置３を上下動させる第４モータ１０と、タイ捩じりフック５を回転させる第５モータ１１を備える。
【００１２】
架台１の前面には、蛇腹折りクリージングフィルム６ａ，６ｂの間に袋口を差し込むための差し込み口３７が形成されている。
また、差し込み口３７の下方において、架台１の前面の左右両側には、下端に近付くに従って外側へ向くよう傾斜した長孔３６，３６ａが形成され、第１モータ７を駆動操作するための二つの始動スイッチ３４，３４ａが長孔３６，３６ａに摺動・固定自在に取り付けられている。従って、始動スイッチ３４，３４ａは、長孔３６，３６ａの長さの範囲内で上下・左右方向に位置調整することができる。
始動スイッチ３４，３４ａは、第１モータ７の駆動回路に直列状に接続されており、左右同時に閉成操作した時のみに第１モータ７が駆動し、誤って片側に触れただけでは作動しないようになっている。
【００１３】
架台１の前部において、左右側壁間には下部ガイドバー１６が架設され、下部ガイドバー１６に下側の蛇腹折りクリージングフィルム６ａが取り付けられる。蛇腹折りクリージングフィルム６ａは、硬質な帯状の薄板を多数の平行な折り曲げ線に沿って山折りと谷折りを交互に繰り返すよう折り曲げた部材であって、下部ガイドバー１６が蛇腹折りクリージングフィルム６ａの各折り曲げ片を貫通している（図７参照）。
また、蛇腹折りクリージングフィルム６ａの両端部は、下部ガイドバー１６に沿って摺動する左右の下部スライド枠１２にそれぞれ取り付けられている。下部スライド枠１２には上面が開口した係合部が設けられる。
【００１４】
一方の下部スライド枠１２には、上面に歯が形成された第１ラック１３の端部が固定され、第１ラック１３は一方の下部スライド枠１２から他方の下部スライド枠１２に向かって延びている。
他方の下部スライド枠１２には、下面に歯が形成された第２ラック１４の端部が固定され、第２ラック１４は他方の下部スライド枠１２から一方の下部スライド枠１２に向かって延びている。
第１ラック１３の上面及び第２ラック１４の下面はピニオン１５に噛合している。
【００１５】
ピニオン１５は第２モータ８の出力軸に連結され、第２モータ８が正逆回転すると、ピニオン１５が回転し、ピニオン１５に噛み合う第１ラック１３と第２ラック１４は、互いに逆向きに平行移動する。
この結果、第１ラック１３及び第２ラック１４に固定された左右の下部スライド枠１２は互いに接離し、左右の下部スライド枠１２に両端部が取り付けられた下側の蛇腹折りクリージングフィルム６ａは伸縮する。
【００１６】
架台１の後部において、左右側壁間には軸１７が架設され、前後方向に延びる左右の側枠１８が軸１７を中心として回動可能に設置されている。また、左右の側枠１８の間には、側枠１８と平行なフック支持枠１９が軸１７を中心として回動可能に設けられる。
側枠１８とフック支持枠１９は連動して回動し、左右の側枠１８及びフック支持枠１９によって軸１７を中心として揺動する揺動枠２０が形成される。
また、側枠１８の後端部は、リンク機構２１を介して第１モータ７の出力軸に連結され、第１モータ７が正逆回転することにより、揺動枠２０が揺動するようになっている。
【００１７】
フック支持枠１９の前端部下面にはタイ捩じりフック５が取り付けられ、フック支持枠１９の後端部には第５モータ１１が装着されている。
左右の側枠１８の前端部間には上部ガイドバー２２が架設され、上部ガイドバー２２に上側の蛇腹折りクリージングフィルム６ｂが取り付けられる（図７）。
従って、揺動枠２０の揺動に伴って、揺動枠２０の前部に設けられたタイ捩じりフック５、上部ガイドバー２２及び上側の蛇腹折りクリージングフィルム６ｂが、下側の蛇腹折りクリージングフィルム６ａの上方において上下動し、上側の蛇腹折りクリージングフィルム６ｂと下側の蛇腹折りクリージングフィルム６ａとは互いに接近・離間する。
【００１８】
図７に示すように、上側の蛇腹折りクリージングフィルム６ｂは、下側の蛇腹折りクリージングフィルム６ａと同様の構造を有し、蛇腹折りクリージングフィルム６ｂの各折り曲げ片を上部ガイドバー２２が貫通している。そして、上側の蛇腹折りクリージングフィルム６ｂは、上部ガイドバー２２が下方に移動した時、下側の蛇腹折りクリージングフィルム６ａと重なるようになっている。
また、図３〜図６に示すように、蛇腹折りクリージングフィルム６ｂの両端部は、上部ガイドバー２２に沿って摺動する左右の上部スライド枠２３にそれぞれ取り付けられる。
さらに、上部スライド枠２３は下部スライド枠１２の係合部と係合しており、下部スライド枠１２と共に上部スライド枠２３も摺動して接近・離間する。
この結果、両側の下部スライド枠１２に取り付けられた下側の蛇腹折りクリージングフィルム６ａと、両側の上部スライド枠２３に取り付けられた上側の蛇腹折りクリージングフィルム６ｂとは連動して伸縮する。
【００１９】
タイ送り出しロール２の中心軸は第３モータ９の出力軸に連結され、第３モータ９が作動するとタイ送り出しロール２はタイ送り込み方向へ回転する。
タイ送り出しロール２とタイ成形装置３とは同一垂直面に含まれるよう設置され、タイ送り出しロール２がタイ送り込み方向へ回転すると、タイ巻き付けリールから引き出された結束タイＢが適宜タイガイド部材を介してタイ成形装置３に送り込まれる。
タイ成形装置３は、架台１の前面中央部に垂直方向に設置されたラック２４と、ラック２４の上端部に固定されたタイガイド２５と、タイガイド２５の中央部に装着された左右一対の挟持駒２６とを備える。
【００２０】
ラック２４は第４モータ１０の出力軸に連結されたピニオン２７に噛み合っており、第４モータ１０が正逆回転するとピニオン２７が回転し、ピニオン２７と噛み合うラック２４が上下動して、ラック２４に固定されたタイガイド２５が昇降する。
タイガイド２５の中央部には上方に開口した凹部２８が形成され、凹部２８の底に挟持駒２６が設置される。また、タイガイド２５の上面には結束タイＢを案内するガイド溝２９が形成されている。
左右の挟持駒２６は、下端部がタイガイド２５に軸着され、図示しないスプリングによって上部が互いに接近する方向へ付勢されている。そして、左右の挟持駒２６が接すると、その間に上方へ開口するＵ字状の切欠き３０が形成される。
また、タイガイド２５は、下側の蛇腹折りクリージングフィルム６ａよりも低い位置まで下降し、挟持駒２６の切欠き３０の上半部が下側の蛇腹折りクリージングフィルム６ａよりも高くなる位置まで上昇するようになっている。
【００２１】
挟持駒２６の切欠き３０は、フック支持枠１９の回動に伴って下降したタイ捩じりフック５の直下に位置するよう形成されている。
図９に示すように、タイ捩じりフック５は、棒材を平面視で略Ｓ字状に屈曲して形成され、その中心部から上方に延びる支持軸５０を介してフック支持枠１９に回動可能に取り付けられている。また、タイ捩じりフック５の支持軸５０を挟んだ両側の空間５ａ，５ｂは、挟持駒２６間に形成される切欠き３０の両側部と上下方向に合致している。
支持軸５０の上端部にはタイミングベルトプーリ３１が取り付けられ（図８）、このタイミングベルトプーリ３１と第５モータ１１の出力軸に取り付けられたタイミングベルトプーリ３２とがタイミングベルト３３で連結されている。
【００２２】
従って、第５モータ１１を駆動すると支持軸５０が回動し、支持軸５０の下端に固定されたタイ捩じりフック５が回転する。
なお、第５モータ１１は、タイ成形装置３が上限位置まで上昇したことをリミットスイッチ等のセンサが感知した時に駆動し、所定量回転したら停止するようになっている。
また、第５モータ１１の回転量は、各モータ７〜１１の作動を制御する制御プログラムを変更することにより調整可能であり、第５モータ１１の回転量を変更することによってタイ捩じりフック５の回転数、即ち結束タイＢの捩じり回数を変えることができる。
【００２３】
本発明の電動袋口結束装置は、次のように作動する。
作動当初は、図３に示すように、揺動枠２０の前端部が上昇して、下側の蛇腹折りクリージングフィルム６ａと上側の蛇腹折りクリージングフィルム６ｂが上下に離間し、また、左右の下部スライド枠１２及び左右の上部スライド枠２３が離間して、蛇腹折りクリージングフィルム６ａ，６ｂが伸長し、タイ成形装置３が下降している。
袋口結束の準備として、タイ巻き付けリールを袋口結束装置にセットし、結束タイＢの先端部をタイ送り出しロール２、タイガイド部材及びタイ成形装置３のガイド溝２９内に、挟持駒２６を跨ぐように水平に通す。
【００２４】
まず、電源スイッチをＯＮした後、差し込み口３７を通して、上下の蛇腹折りクリージングフィルム６ａ，６ｂの間に袋Ａの袋口を差し込んでから、始動スイッチ３４，３４ａ（図２）を同時に押す。
すると、第１モータ７が作動し、図４に示すように、リンク機構２１が側枠１８の後端部を押し上げて、揺動枠２０の前端部が下降する。この結果、タイ捩じりフック５が下降すると共に、上側の蛇腹折りクリージングフィルム６ｂが下降して下側の蛇腹折りクリージングフィルム６ａに重なり、袋Ａの袋口を挟む。
なお、始動スイッチ３４，３４ａは、袋Ａの寸法に合わせて、袋口の出し入れの邪魔にならない位置へ長孔３６，３６ａに沿って移動させ、固定しておく。
【００２５】
次いで、第２モータ８が作動してピニオン１５が回転し、図５に示すように、ピニオン１５に噛み合う第１ラック１３及び第２ラック１４が、その重なり長さが長くなる方向へ平行移動する。この結果、左右の下部スライド枠１２及び左右の上部スライド枠２３が接近し、上下の蛇腹折りクリージングフィルム６ａ，６ｂが幅方向に折りたたまれて、蛇腹折りクリージングフィルム６ａ，６ｂで挟まれた袋Ａの袋口も幅方向に蛇腹状に折りたたまれる。
その後、第４モータ１０が作動してピニオン２７が回転し、図６に示すように、ピニオン２７に噛合したラック２４が上昇し、ラック２４と共にタイ成形装置３が上昇する。
【００２６】
なお、タイガイド２５の側面及びタイガイド２５の側方（タイ送り出しロール２側）には、互いに対向するカッター３５が設置され、タイ成形装置３が上昇すると、結束タイＢがタイガイド２５の幅と等しい長さに切断されるようになっている。
挟持駒２６の切欠き３０の上方には蛇腹状に折りたたまれた袋Ａの袋口が前後方向に差し込まれているので、タイ成形装置３が上昇すると、袋Ａの袋口はタイガイド２５のガイド溝２９に架け渡された結束タイＢを押し下げ、左右の挟持駒２６を押し開く。そして、袋口が切欠き３０内に進入すると、図８に示すように、付勢されている挟持駒２６が接近して袋口及び結束タイＢを挟み付け、結束タイＢは切欠き３０の形状に沿ってＵ字状に折り曲げられる。
【００２７】
タイ成形装置３が上限まで上昇すると、Ｕ字状に折り曲げられた結束タイＢの両端部がタイ捩じりフック５の両側の空間５ａ，５ｂに差し込まれる（図９）。
次いで、第５モータ１１が駆動してタイ捩じりフック５が回転し、結束タイＢが袋口に下方から巻き付けられると共に、結束タイＢの両端部が捩じ止められる。
結束タイＢの両端部を捩じる回数は、袋Ａの材質、結束タイＢの形状や材質に応じて変更する。例えば、結束タイＢが、通常の針金芯を有するプラスチックタイであれば捩じり回数は少なくて済む。しかし、針金芯の無い生分解プラスチックタイは復元力があるので、捩じり回数が少ないと元に戻って外れてしまう。そこで、外れないように捩じり回数を多くして、袋口にしっかりと固定する。
【００２８】
その後、第１モータ７が逆転して揺動枠２０の前端部が上方へ揺動し、タイ捩じりフック５及び上側の蛇腹折りクリージングフィルム６ｂが上昇し、また、第２モータ８が逆転して第１ラック１３及び第２ラック１４が重なり長さを短くする方向へ平行移動し、左右の下部スライド枠１２及び左右の上部スライド枠２３が離間して、蛇腹折りクリージングフィルム６ａ，６ｂが伸長すると共に、第４モータ１０が逆転してタイ成形装置３が下降する。これにより、結束タイＢで袋口が結束された袋Ａは解放されるので、前方へ引き抜く。
次に、第３モータ９が作動してタイ送り出しロール２をタイ送り込み方向に回転させる。タイ送り出しロール２から送り出された結束タイＢは下限位置にあるタイガイド３１のガイド溝２９内に架け渡される。
これを繰り返して、袋口結束作業を行なう。
【００２９】
図２に示すように、架台１の前面側部にはタイ上昇ボタン３８とカットボタン３９が設けら、タイ上昇ボタン３８及びカットボタン３９にそれぞれ隣接して、互いに異なる色で発光する発光部３８ａ，３９ａが設置されている。
タイ上昇ボタン３８及びカットボタン３９には第４モータ１０が接続され、タイ上昇ボタン３８の発光部３８ａには、タイ成形装置３のガイド溝２９に結束タイＢが詰まったことを検知するセンサが接続されている。
【００３０】
タイ上昇ボタン３８の発光部３８ａはタイ成形装置３のタイ詰まりを知らせる警報発生部であり、センサが結束タイＢの詰りを検知すると、発光部３８ａが０．５秒程度のやや長い間隔で点滅してタイ詰りを警告する。この時、タイ上昇ボタン３８を押圧操作すると、第４モータ１０が作動してタイ成形装置３が上昇するので、ガイド溝２９に詰まった結束タイＢを簡単に取り除くことができる。
また、押圧操作したタイ上昇ボタン３８を解放すると、カットボタン３９の発光部３９ａが０．５秒程度のやや長い間隔で点滅する。この場合、タイ詰りを解消してから始動スイッチ３４，３４ａを押圧操作して、袋口を差し込まずに袋口結束作業を最後まで行ない、電動袋口結束装置を作業当初の状態に戻す。
【００３１】
揺動枠２０が当初位置へ復帰している間は、カットボタン３９の発光部３９ａが０．２秒程度の短い間隔で点滅し、揺動枠２０の当初位置への復帰が完了すると、カットボタン３９の発光部３９ａは点滅から点灯に変わる。
また、揺動枠２０の復帰が正常に行なわれなかった時は、タイ上昇ボタン３８の発光部３８ａが０．２秒程度の短い間隔で点滅する。この場合、電源スイッチを入れ直し、電動袋口結束装置を作動初期の状態に戻す。
【００３２】
結束作業を再開するには、下限位置へ戻ったタイ成形装置３のガイド溝２９に結束タイＢを通し、発光部３９ａが点灯しているカットボタン３９を押圧操作する。すると、第４モータ１０が作動してタイ成形装置３が上昇し、カッター３５が結束タイＢを切断する。
従って、新たに送り込まれる結束タイＢの先端がタイ成形装置３に臨んで正確な位置に配置されるので、タイ詰りを解消した後、直ちに袋口の結束作業を再開することができる。
また、このように発光部３８ａ，３９ａの発光状態が変化して、次にどのような操作を行えばよいかを作業者に的確に知らせる。
【００３３】
なお、本考案は図に示す実施例に限定されない。
例えば、タイ成形装置３のタイ詰りを知らせる警報発生部は、警告音を発するスピーカとすることもできる。また、下部スライド枠１２と上部スライド枠２３との係合構造、挟持駒２６の構造等は変更可能である。
【符号の説明】
【００３４】
Ａ  袋
Ｂ  結束タイ
１  架台
２  タイ送り出しロール
３  タイ成形装置
５  タイ捩じりフック
６ａ，６ｂ  蛇腹折りクリージングフィルム
７  第１モータ
８  第２モータ
９  第３モータ
１０  第４モータ
１１  第５モータ
１２  下部スライド枠
１３  第１ラック
１４  第２ラック
１５  ピニオン
１６  下部ガイドバー
１７  軸
１８  側枠
１９  フック支持枠
２０  揺動枠
２１  リンク機構
２２  上部ガイドバー
２３  上部スライド枠
２４  ラック
２５  タイガイド
２６  挟持駒
２７  ピニオン
２８  凹部
２９  ガイド溝
３０  切欠き
３１  タイミングベルトプーリ
３２  タイミングベルトプーリ
３３  タイミングベルト
３４，３４ａ  始動スイッチ
３５  カッター
３６，３６ａ  長孔
３７  差し込み口
３８  タイ上昇ボタン
３８ａ  発光部
３９  カットボタン
３９ａ  発光部
【図１】
0003185474.tif 000003
【図２】
0003185474.tif 000004
【図３】
0003185474.tif 000005
【図４】
0003185474.tif 000006
【図５】
0003185474.tif 000007
【図６】
0003185474.tif 000008
【図７】
0003185474.tif 000009
【図８】
0003185474.tif 000010
【図９】
0003185474.tif 000011